(57)【要約】【課題】トンネル内壁に密着させるアーチ状バルーンを備えるトンネル間仕切り装置において、トンネル内の強風が吹いても動かないようにして間仕切り機能を確保する。【解決手段】トンネル内壁１に対し離間して配置されるアーチ形状をなし、そのアーチ形状に沿って外周側に開放されるバルーン収納用凹部６１ｃを有するアーチ状フレーム６１と、そのバルーン収納用凹部６１ｃ内に内周側が収納され、流体の供給によりアーチ状フレーム６１から外周側に膨張してトンネル内壁１に対し外周側が密着可能なアーチ状バルーン６２とを備える。アーチ状フレーム６１は、トンネル覆工用のスライドセントル３の本体３ａに固定される。【選択図】        図３
2004293075.tif 000002
【特許請求の範囲】
【請求項１】
トンネル内壁に対し離間して配置されるアーチ形状をなし、そのアーチ形状に沿って外周側に開放されるバルーン収納用凹部を有するアーチ状フレームと、
アーチ状フレームのバルーン収納用凹部内に内周側が収納され、流体の供給によりアーチ状フレームから外周側に膨張してトンネル内壁に対し外周側が密着可能なアーチ状バルーンとを備えることを特徴とするトンネル間仕切り装置。
【請求項２】
前記アーチ状フレームが、トンネル覆工用のスライドセントルの本体に固定されることを特徴とする請求項１に記載のトンネル間仕切り装置。
【発明の詳細な説明】
【０００１】
【発明の属する技術分野】
本発明は、トンネル覆工時における打設後のコンクリートを養生するために用いられるトンネル間仕切り装置に関する。
【０００２】
【従来の技術】
空気または水等の流体の圧入により膨張してトンネル内壁に密着する、ゴム等の伸縮自在な弾性部材より形成された環状チューブと、その環状チューブで囲まれる内周側空間部分を覆うシートを備えるトンネル内移動間仕切り装置がある（特許文献１参照）。これによれば、迅速かつ簡単に組み立てられて、トンネル内のコンクリート打設区間を外気から隔離し、打設コンクリートが外気との急激な温度変化に晒されるのを防いで、打設コンクリートの養生が良好に行える。
そして、環状チューブや馬蹄形チューブの自重による垂れ下がりを防止するため、チューブ保持部及び長さ調整部を有する保持桿を２本立設したものもある（特許文献２参照）。
【０００３】
【特許文献１】
実用新案登録第３０３３９３１号公報
【特許文献２】
実用新案登録第３０７５３２０号公報
【０００４】
【発明が解決しようとする課題】
しかし、トンネル内の強風に対して、２本の保持桿だけでは十分な強度が得られず、トンネル内壁に密着状態にあった環状チューブや馬蹄形チューブが風圧を受けて移動してしまい、間仕切りとして機能しなくなってしまう問題があった。
【０００５】
本発明の課題は、トンネル内壁に密着させるアーチ状バルーンを備えるトンネル間仕切り装置において、トンネル内に強風が吹いても動かないようにして間仕切り機能を確保することである。
【０００６】
【課題を解決するための手段】
以上の課題を解決するため、請求項１に記載の発明は、例えば、図１から図４に示すように、トンネル内壁１に対し離間して配置されるアーチ形状をなし、そのアーチ形状に沿って外周側に開放されるバルーン収納用凹部６１ｃを有するアーチ状フレーム６１と、そのバルーン収納用凹部６１ｃ内に内周側が収納され、流体の供給によりアーチ状フレーム６１から外周側に膨張してトンネル内壁１に対し外周側が密着可能なアーチ状バルーン６２とを備えるトンネル間仕切り装置６を特徴とする。
【０００７】
請求項１に記載の発明によれば、トンネル内壁に対し外周側が密着するアーチ状バルーンの内周側をアーチ状フレームに収納したので、トンネル内に強風が吹いてもアーチ状フレームの保持によりアーチ状バルーンが動くようなことはない。
【０００８】
請求項２に記載の発明は、請求項１に記載のトンネル間仕切り装置６であって、例えば、図１及び図４に示すように、前記アーチ状フレーム６１が、トンネル覆工用のスライドセントル３の本体３ａに固定されることを特徴とする。
【０００９】
請求項２に記載の発明によれば、スライドセントル本体にアーチ状フレームを固定したので、間仕切り装置がスライドセントルと一緒に移動する。
【００１０】
【発明の実施の形態】
以下、図を参照して本発明の実施の形態を詳細に説明する。
図１から図４において、１はトンネル内壁、２は打設コンクリート（二次覆工）、３はスライドセントル、４はレール、５は送風管、６はトンネル間仕切り装置、６１はアーチ状フレーム、６２はアーチ状バルーン、６３は送風機、６４はシートである。
【００１１】
トンネル内には、図示のように、レール４が敷設されるとともに、切り羽まで延びる送風管５が設置されている。
スライドセントル３は、トンネル内壁１の二次覆工に対応するスライドフォーム３ｃを本体３ａに備えており、本体３ａがレール４上を車輪３ｂにより移動する。３ｄは階段である。
以上のスライドセントル３の本体３ａの妻側にトンネル間仕切り装置６がそれぞれ装備されている。
【００１２】
トンネル間仕切り装置６は、スライドセントル３の本体３ａの妻側に固定されたアーチ状フレーム６１と、このアーチ状フレーム６１のバルーン収納用凹部６１ｃ内に収納されたアーチ状バルーン６２と、送風機６３及びシート６４から構成されている。送風機６３は、アーチ状バルーン６２内にエアーを供給するためのものである。シート６４は、図３に示したように、アーチ状フレーム６１に囲まれた内方を覆うためのもので、具体的には多数枚を繋ぎ合わせてなる。
【００１３】
アーチ状フレーム６１は、図１に示したように、トンネル内壁１に対し所定寸法（例えば、３００〜５００ｍｍ程度）だけ離間して配置されるアーチ形状をなしており、そのアーチ形状に沿って外周側に開放されるバルーン収納用凹部６１ｃを有している。すなわち、アーチ状フレーム６１は、図２に拡大して示したように、平行する２枚のアーチ状フランジ６１ａの内周側にアーチ状ウェブ６１ｂが連続する鋼材により形成されている。このようなアーチ状フランジ６１ａ及びアーチ状ウェブ６１ｂにより囲まれて、バルーン収納用凹部６１ｃが形成されている。
【００１４】
以上のアーチ状フレーム６１のバルーン収納用凹部６１ｃの全長に渡ってアーチ状バルーン６２の内周側が適宜固定して収納されている。このアーチ状バルーンは、膨張・収縮可能なゴムチューブ、防水布チューブ等の弾性チューブにより形成されている。なお、アーチ状バルーン６２には、送風機６３からエアーが送り込まれるようになっている。
【００１５】
次に、以上の構成によるトンネル間仕切り装置６の作用を説明する。
トンネル内において、二次覆工に先立ち、図４に示したように、スライドセントル３のスライドフォーム３ｃによりトンネル内壁１との間に所定のコンクリート打設空間が形成されている。
【００１６】
また、スライドセントル３の本体３ａの妻側にそれぞれ装備されたトンネル間仕切り装置６において、送風機６３の駆動によりアーチ状バルーン６２内にエアーが送り込まれる。これにより、アーチ状フレーム６１内のアーチ状バルーン６２が膨らみ始め、図２に示したように、アーチ状フレーム６１から外周側にアーチ状バルーン６２が膨張していく。
そして、図３及び図４に示したように、切り羽側では、トンネル内壁１にアーチ状バルーン６２の外周側が直接密着した状態となり、また、反対の坑口側では、打設コンクリート２にアーチ状バルーン６２の外周側が密着した状態となる。この状態は、送風機６３の運転を継続することで維持される。
【００１７】
さらに、アーチ状フレーム６１に囲まれた内方を、図３に示したように、シート６４で覆う。すなわち、図３に示したように、スライドセントル３の本体３ａの妻側面に沿って作業員がシート６４を張る。具体的には、ダンプトラック通行スペースＳを除いてシート６４が張られる。
その後、トンネル内壁１とスライドフォーム３ｃとの間の空間にコンクリート２を打設することで二次覆工が行われる。
【００１８】
以上のように、トンネル内壁１に対し外周側が密着するアーチ状バルーン６２の内周側をアーチ状フレーム６１に収納したことによって、トンネル内に強風が吹い場合でも、アーチ状フレーム６１の保持によりアーチ状バルーン６２が動くのを確実に防止できる。従って、二次覆工時の間仕切り機能を十分に確保できる。
つまり、スライドセントル３の妻側の両側において、アーチ状バルーン６２を迅速に膨張させて、二次覆工区間を外気から隔離できる。この結果、特に、寒冷期において、打設コンクリート２が外気との急激な温度変化に晒されるのを防止できる。従って、打設コンクリート２の養生が確実に行える。
【００１９】
所定の養生時間が経過した後、送風機６３の運転を停止することで、アーチ状バルーン６２をアーチ状フレーム６１内に収縮させ、また、シート６４を外して間仕切りを終える。
その後、スライドセントル３を移動して次の区間の二次覆工が同様に行われる。
【００２０】
なお、送風機によりバルーンにエアーを供給するようにしたが、他にガスや水等の流体をバルーンに供給・排出するようにしても良い。
【００２１】
【発明の効果】
請求項１に記載の発明によれば、トンネル内の強風に対して、アーチ状フレームの保持によりアーチ状バルーンが動くようなことはないため、間仕切り機能を確保できる。
【００２２】
請求項２に記載の発明によれば、請求項１に記載の発明により得られる効果に加え、間仕切り装置をスライドセントルと一緒に移動できるといった利点が得られる。
【図面の簡単な説明】
【図１】本発明を適用した一実施の形態の構成を示すもので、妻側から見たセントル及びアーチ状フレームを示した概略正面図である。
【図２】アーチ状フレーム及びアーチ状バルーンの一部を破断して示した拡大斜視図である。
【図３】図１の状態から間仕切り状態を示した概略正面図である。
【図４】セントル前後のアーチ状フレーム及びアーチ状バルーンの状態をトンネル中央で破断して示した概略側面図である。
【符号の説明】
１  トンネル内壁
２  打設コンクリート（二次覆工）
３  スライドセントル
３ａ  本体
３ｃ  スライドフォーム
４  レール
５  送風管
６  トンネル間仕切り装置
６１  アーチ状フレーム
６１ａ  フランジ
６１ｂ  ウェブ
６１ｃ  バルーン収納凹部
６２  アーチ状バルーン
６３  送風機
６４  シート
【図１】
2004293075.tif 000003
【図２】
2004293075.tif 000004
【図３】
2004293075.tif 000005
【図４】
2004293075.tif 000006